(57)【要約】【課題】高速回転させてワークの研摩処理を行ってもワークとの接触状態が連続しないし、また、ワークとの接触摩擦が過大にならないで使用できる複合ロールブラシを提供する。【解決手段】軸体４の周面に複数のブラシ毛１からなるブラシ部１０ａを有する複数のロールブラシ部材１０と、回転する一対のディスク部材１１ａ，１１ｂとから構成され、前記一対のディスク部材１１ａ，１１ｂ間には、前記複数のロールブラシ部材１０のそれぞれが回転自在に取り付けられているとともに、前記ブラシ部１０ａの外周面の一部が前記ディスク部材１１ａ，１１ｂの外縁より外側に延在して、平行且つ所定等角度間隔に装着されているようにした。【選択図】図１
2007330298.tif 000002
【特許請求の範囲】
【請求項１】
軸体の周面に複数のブラシ毛からなるブラシ部を有する複数のロールブラシ部材と、
回転する一対のディスク部材とから構成され、
前記一対のディスク部材間には、前記複数のロールブラシ部材の軸体がそれぞれ回転自在に取り付けられているとともに、前記ブラシ部の外周面の一部が前記ディスク部材の外縁より外側に延在して、平行且つ所定等角度間隔に装着されていることを特徴とする複合ロールブラシ。
【請求項２】
前記各ロールブラシ部材のブラシ部は、軸体の長さ方向に直交する断面が円状若しくは多角形状に形成されている請求項１に記載の複合ロールブラシ。
【発明の詳細な説明】
【技術分野】
【０００１】
本発明は複数のロールブラシ部材により構成した複合ロールブラシに関するものである。
【背景技術】
【０００２】
従来のロールブラシは、高速回転させるとブラシ毛とワークとの接触部における摩擦が大きくなり、ワークの表面を強く擦ることができるので、ワークの研摩処理に使用されている。図６に従来のロールブラシ６０を示す。ロールブラシ６０は、複数のブラシ毛１の基部をチャンネル部材２に保持させてなるチャンネルブラシ３が、円柱状の軸体４に螺旋状に巻き付けて固着されたもので、軸体４の周面に複数のブラシ毛１からなるブラシ部６０ａが設けられている。このブラシ部６０ａは、軸体４の長さ方向に直交する断面が円状である。また、従来のロールブラシは、他の例として、円柱状の軸体４に複数のブラシ毛の束が植設されたブラシ植設部が適宜な間隔で点在するように設けられた植え込みブラシからなるブラシ部のものがある。
【発明の開示】
【発明が解決しようとする課題】
【０００３】
しかしながら、従来のロールブラシは、ワークの表面に突出しているバリがワークに強く固着していると、高速回転モードに設定しても、バリが取りきれないで、ワークとの接触摩擦が過大な状態が継続して、高速回転モードに対応した適性な回転状態にならない場合がある。このような場合、ロールブラシは、自身を回転駆動させるモータに過大な負荷を与えてしまい、モータを損傷させてしまう虞がある。このように、ロールブラシは、高速回転させて使用する場合に、ワークとの接触摩擦が過大にならないように注意しなければならないため改善が望まれていた。
【０００４】
本発明は、上記課題を解決するもので、高速回転させてワークの研摩処理を行ってもワークとの接触状態が連続しないし、また、ワークとの接触摩擦が過大にならないで使用できる複合ロールブラシを提供することを目的とする。
【課題を解決するための手段】
【０００５】
上記課題を解決するために請求項１記載の発明は、軸体の周面に複数のブラシ毛からなるブラシ部を有する複数のロールブラシ部材と、回転する一対のディスク部材とから構成され、前記一対のディスク部材間には、前記複数のロールブラシ部材の軸体がそれぞれ回転自在に取り付けられているとともに、前記ブラシ部の外周面の一部が前記ディスク部材の外縁より外側に延在して、平行且つ所定等角度間隔に装着されていることを特徴とする複合ロールブラシである。
【０００６】
また、請求項２記載の発明は、前記各ロールブラシ部材のブラシ部は、軸体の長さ方向に直交する断面が円状若しくは多角形状に形成されている請求項１に記載の複合ロールブラシである。
【発明の効果】
【０００７】
本発明によれば、複合ロールブラシを高速回転させてワークの研摩処理を行うと、各ロールブラシ部材は、所定角度回転する度にディスク部材の外縁より外側に延在しているブラシ部の外周面の一部がワークと接触して自転しながらワークの研摩処理を行うので、ブラシ毛とワークとの接触状態が連続しないし、また、接触摩擦も過大にならないようにして複合ロールブラシの駆動手段に対する損傷をなくすことができる。
【発明を実施するための最良の形態】
【０００８】
以下、図面に基づいて本発明の実施例を説明する。
【実施例１】
【０００９】
図１（ａ）は、本発明に係る複合ロールブラシの実施例１を示す平面図、図１（ｂ）は、図１（ａ）のＡ−Ａ線断面図、図２は、図１（ａ）に示した複合ロールブラシの分解斜視図である。
【００１０】
図１（ａ），（ｂ）、及び図２において、複合ロールブラシ２０は、両端から軸体４が突出する複数のロールブラシ部材１０と、それぞれにシャフト１２を有し、モータの駆動により回転する１対のディスク部材１１ａ，１１ｂとから構成されている。
【００１１】
各ロールブラシ部材１０は、従来のロールブラシ６０と略同じ構造のものであり、複数のブラシ毛１の基部をチャンネル部材２に保持させてなるチャンネルブラシ３が、円柱状の軸体４に螺旋状に巻き付けられて固着されたものである。各ロールブラシ部材１０は、軸体４の周面に複数のブラシ毛１からなるブラシ部１０ａが設けられている。このブラシ部１０ａは、軸体４の長さ方向に直交する断面が円状である。
【００１２】
１対のディスク部材１１ａ，１１ｂは、それぞれディスク基板１１の片面の中心に、シャフト１２が突設されているとともに、シャフト１２を囲んで、中心から略等距離の位置に複数の孔１３が所定等角度間隔で設けられている。
【００１３】
複合ロールブラシ２０は、以下のようにして組立てられている。即ち、各ディスク部材１１ａ，１１ｂは、内側が向い合せにされて、それぞれの各シャフト１２を外側に突出させた状態に配置される。そして、複合ロールブラシ２０は、各ロールブラシ部材１０のブラシ部１０ａの両端に突出する軸体４の一端が一方のディスク部材１１ａの各孔１３に遊嵌されているとともに、軸体４の他端が他方のディスク部材１１ｂの各孔１３に遊嵌されて、一対のディスク部材１１ａ，１１ｂ間に複数のロールブラシ部材１０の軸体４がそれぞれ回転自在に取り付けられている。
【００１４】
こうして組立てられた複合ロールブラシ２０は、内側を向い合せに配置した一対のディスク部材１１ａ，１１ｂ間に、複数のロールブラシ部材１０が中心から等距離に、平行且つ、所定等角度間隔に装着され、一対のディスク部材１１ａ，１１ｂの両端から各シャフト１２が外側に突出して、ディスク部材１１ａ，１１ｂ間に複数のロールブラシ部材１０を挟んで一体化されている。また、各ロールブラシ部材１０は、ブラシ部１０ａの外周面の一部が、各ディスク部材１１ａ，１１ｂの外縁より外側に延在して装着されている。
【００１５】
複合ロールブラシ２０は、一対のディスク部材１１ａ，１１ｂを回転させて、各ブラシ部１０ａをワーク（図は省略）に接触させることによりワークの研摩処理を行うと、各ディスク部材１１ａ，１１ｂが所定角度回転する度に、各ディスク部材１１ａ，１１ｂの外縁より外側に延在している各ロールブラシ部材１０のブラシ部１０ａが、ワークに接触して自転しながら研摩処理するという動作を繰り返す。
【００１６】
このように複合ロールブラシ２０は、一対のディスク部材１１ａ，１１ｂが回転すると、各ブラシ部１０ａの外周面の一部が所定角度回転する度にワークに接触して各ロールブラシ部材１０しながらワークの研摩処理を行うので、ブラシ毛１とワークとの接触する状態が連続しない。
【００１７】
また、ロールブラシ部材１０は、軸体４の両端がディスク部材１１ａ，１１ｂの各孔１３に遊嵌されているので、ワークと接触したときに自転するので、ブラシ毛１とワークとの接触摩擦が過大になることが防止される。なお、複合ロールブラシ２０は、これを回転させる機構に加えて、三次元移動機構を採用することで、複合ロールブラシ２０を回転させながら前後、左右、上下に移動させるようにすることで、大小、大きさの異なるバリ取りや、ワークの表面研摩をすることができる。
【実施例２】
【００１８】
図３（ａ）は、本発明に係る複合ロールブラシの実施例２を示す概略説明図、図３（ｂ）は、図３（ａ）に示した複合ロールブラシを構成するロールブラシ部材の斜視図である。
【００１９】
図３（ａ），（ｂ）において、複合ロールブラシ３０は、実施例１のロールブラシ部材１０に代えて、軸体４の長さ方向に直交する断面が四角形状の外周面であるブラシ部３３ａを有するロールブラシ部材３３が、実施例１と同様に１対のディスク部材１１ａ，１１ｂに組み込まれて構成されたものである。ロールブラシ部材３３は、ロールブラシ部材１０のブラシ部１０ａの周面を毛刈り加工して、ブラシ部１０ａのブラシ毛１の毛先を切断し、外周面を四角柱状としたものであるが、ブラシ部１０ａの周面を毛刈り加工すれば、ブラシ部１０ａの外周面を所望の多角柱状とすることができる。
【実施例３】
【００２０】
図４（ａ）は、本発明に係る複合ロールブラシの実施例３を示す概略説明図、図４（ｂ）は、図４（ａ）に示した複合ロールブラシを構成するロールブラシ部材の斜視図である。
【００２１】
図４（ａ），（ｂ）において、複合ロールブラシ４０は、軸体４の長さ方向に直交する断面が六角形状の外周面であるブラシ部４３ａを有するロールブラシ部材４３が、実施例１と同様に１対のディスク部材１１ａ，１１ｂに組み込まれて構成されたものである。
【実施例４】
【００２２】
図５（ａ）は、本発明に係る複合ロールブラシの実施例４を示す概略説明図、図５（ｂ）は、図５（ａ）に示した複合ロールブラシを構成するロールブラシ部材の斜視図である。
【００２３】
図５（ａ），（ｂ）において、複合ロールブラシ５０は、軸体４の長さ方向に直交する断面が八角形状の外周面であるブラシ部５３ａを有するロールブラシ部材５３が、実施例１と同様に１対のディスク部材１１ａ，１１ｂに組み込まれて構成されたものである。
【００２４】
なお、実施例１〜４における複合ロールブラシは、両端から軸体が突出している複数のロールブラシ部材の各軸体の両端が１対のディスク部材の各孔に遊嵌された構成のものを説明したが、１対のディスク部材の各孔の位置に孔を設けてある代りに軸用の凸部が複数設けられているとともに、複数のロールブラシ部材の両端に、軸体が突設されている代りに孔が設けられていて、１対のディスク部材の軸用の凸部が複数のロールブラシ部材の孔に遊嵌されるように構成されていてもよい。
【００２５】
また、実施例１〜４において、複合ロールブラシの１対のディスク部材に５個のロールブラシ部材が組み込まれた例を説明したが、複合ロールブラシの１対のディスク部材に組み込まれるロールブラシ部材の数は、ロールブラシ部材がワークと接触したときに自転できれば５個より少なくても、多くても良く、５個に限定されないことはもちろんである。
【００２６】
本発明は前記実施の形態に限定されるものではなく、特許請求の範囲に記載の構成を変更しない限りどのようにでも実施することができる。
【図面の簡単な説明】
【００２７】
【図１】（ａ）は本発明に係る複合ロールブラシの実施例１を示す平面図、図１（ｂ）は、（ａ）のＡ−Ａ線断面図である。
【図２】図１（ａ）に示した複合ロールブラシの分解斜視図である。
【図３】（ａ）は本発明に係る複合ロールブラシの実施例２を示す概略説明図、（ｂ）は、（ａ）に示した複合ロールブラシを構成するロールブラシ部材の斜視図である。
【図４】（ａ）は本発明に係る複合ロールブラシの実施例３を示す概略説明図、（ｂ）は、（ａ）に示した複合ロールブラシを構成するロールブラシ部材の斜視図である。
【図５】（ａ）は本発明に係る複合ロールブラシの実施例４を示す概略説明図、（ｂ）は、（ａ）に示した複合ロールブラシを構成するロールブラシ部材の斜視図である。
【図６】従来のロールブラシを示す斜視図である。
【符号の説明】
【００２８】
１  ブラシ毛
２  チャンネル部材
３  チャンネルブラシ
４  軸体
１０，３３，４３，５３  ロールブラシ部材
１０ａ，３３ａ，４３ａ，５３ａ，６０ａ  ブラシ部
１１  ディスク基板
１１ａ，１１ｂ  ディスク部材
１２  シャフト
１３  孔
２０，３０，４０，５０  複合ロールブラシ
６０  ロールブラシ
【図１】
2007330298.tif 000003
【図２】
2007330298.tif 000004
【図３】
2007330298.tif 000005
【図４】
2007330298.tif 000006
【図５】
2007330298.tif 000007
【図６】
2007330298.tif 000008